(57)【要約】【課題】操作すべき弁のハンドルの周囲に柱等の障害部材が存在する場合であっても、操作杆と把持杆との角度を調節することにより、容易かつ確実に弁のハンドルの回転操作を行う。【解決手段】操作杆２と、操作杆２に、該操作杆２の軸線に対して略直交して設けられた一対の固定脚３，４と、操作杆２の基端部に、該操作杆２の軸線に対する角度を変更可能に連結された把持杆５と、操作杆２と把持杆５とを所定の角度で固定する固定機構部６とを備える。また、固定機構部６は、所定の角度毎に、または、任意の角度で、操作杆２と把持杆５とを固定可能であることが好ましい。さらに、操作杆２は、把持杆５に対して着脱可能であることが好ましい。【選択図】図１
2008044061.tif 000002
【特許請求の範囲】
【請求項１】
弁のハンドル（７）を回転操作するウィルキー（１）であって、
操作杆（２）と、
前記操作杆（２）に、該操作杆（２）の軸線に対して略直交して設けられた一対の固定脚（３，４）と、
前記操作杆（２）の基端部に、該操作杆（２）の軸線に対する角度を変更可能に連結された把持杆（５）と、
前記操作杆（２）と前記把持杆（５）とを所定の角度で固定する固定機構部（６）と、を備えたことを特徴とするウィルキー。
【請求項２】
前記固定機構部（６）は、所定の角度毎に、前記操作杆（２）と前記把持杆（５）とを固定可能である、ことを特徴とする請求項１に記載のウィルキー。
【請求項３】
前記固定機構部（１６）は、任意の角度で、前記操作杆（１２）と前記把持杆（１５）とを固定可能である、ことを特徴とする請求項１に記載のウィルキー。
【請求項４】
前記操作杆（２）は、前記把持杆（５）に対して着脱可能である、ことを特徴とする請求項１〜３のいずれか１項に記載のウィルキー。
【請求項５】
前記操作杆（２）は、弁のハンドル（７）の形状に適合する一対の固定脚（３，４）を備えた複数種類からなり、回転操作すべき弁のハンドル（７）の形状に適合させて前記操作杆（２）を交換可能である、ことを特徴とする請求項４に記載のウィルキー。
【発明の詳細な説明】
【技術分野】
【０００１】
本発明は、配管弁等のハンドルを回転操作する際に使用する弁の開閉操作用工具であるウィルキーに係り、特に操作すべき弁のハンドルの周囲に柱等の障害部材が存在する場合であっても、操作杆と把持杆との角度を調節することができるウィルキーに関するものである。
【背景技術】
【０００２】
従来から、配管弁、マニホールド弁、計器元弁等のハンドルを回転させる際に、その弁を容易に開閉できるようにウィルキーが使用されている。例えば、従来のウィルキー５１は、図４に示すように、操作杆５２の先端側に、操作杆５２の軸線と直交し合う一対の固定脚５３，５４が設けられた形状となっている。このようなウィルキー５１は、一対の固定脚５３から固定脚５４までの寸法が、弁のハンドル５５の孔５６内に入る長さに設定されている。そして、ハンドル５５の孔５６内に、先端側の固定脚５３を挿入した状態で、操作杆５２を時計方向又は反時計方向に回転させることで弁を開閉操作することができるようになっている。
【０００３】
また、特許文献１の実開平６−１７８７４号公報「ハンドル用ウィルキー」において、操作杆に、操作杆から延長された２本の固定脚と、操作杆に沿ってスライド自在に装着され固定脚に対して前進、後退可能な可動脚とを設け、前記固定脚と可動脚とを、操作杆から外側へ拡がる末広がり形状とした弁のハンドル用ウィルキーが提案されている。
【０００４】
この特許文献１に記載された弁のハンドル用ウィルキーによれば、一対の固定脚によるウィルキーでは固定脚の間隔が広すぎて使用できない径の小さいミニハンドルの場合であっても、可動脚をスライドし、固定脚と可動脚とをミニハンドルの外周線にかかるように設定することで、ミニハンドルの操作が可能となる。
【０００５】
【特許文献１】実開平６−１７８７４号公報
【発明の開示】
【発明が解決しようとする課題】
【０００６】
しかし、作業者がウィルキーを用いて弁のハンドルを回転させる際に、その弁のハンドルの取り付け位置によっては、操作杆が柱、パイプ、鋼材等の障害部材と干渉して弁の開閉動作が困難となってしまう場合があった。例えば、弁のハンドルを回転させる方向に柱等の障害部材が配設されていると、回転操作の途中で一旦、ハンドルからウィルキーを取り外し、操作杆が障害部材と干渉しない位置で再度ハンドルにウィルキーを取り付けて回転操作を続行しなければならない。
【０００７】
また、ウィルキーの着脱操作を行わずにハンドルの回転操作を行うことができる場合であっても、狭い空間内に手を差し込まなければならず、無理な姿勢での作業を強要される等、作業環境が悪化するおそれがあった。
【０００８】
本発明は、かかる問題点を解決するために創案されたものである。すなわち、本発明の目的は、操作すべき弁のハンドルの周囲に柱等の障害部材が存在する場合であっても、操作杆と把持杆との角度を調節することにより、容易かつ確実に弁のハンドルの回転操作を行うことが可能なウィルキーを提供することにある。
【課題を解決するための手段】
【０００９】
本発明によれば、弁のハンドル（７）を回転操作するウィルキー（１）であって、操作杆（２）と、前記操作杆（２）に、該操作杆（２）の軸線に対して略直交して設けられた一対の固定脚（３，４）と、前記操作杆（２）の基端部に、該操作杆（２）の軸線に対する角度を変更可能に連結された把持杆（５）と、前記操作杆（２）と前記把持杆（５）とを所定の角度で固定する固定機構部（６）と、を備えたことを特徴とするウィルキーが提供される。
【００１０】
ここで、前記固定機構部（６）は、所定の角度（例えば６０度）毎に、前記操作杆（２）と前記把持杆（５）とを固定可能であること、または、任意の角度で、前記操作杆（２）と前記把持杆（５）とを固定可能であることが好ましい。
【００１１】
また、前記操作杆（２）は、前記把持杆（５）に対して着脱可能であることが好ましい。
【００１２】
さらに、前記操作杆（２）は、弁のハンドル（７）の形状に適合する一対の固定脚（３，４）を備えた複数種類からなり、回転操作すべき弁のハンドル（７）の形状に適合させて前記操作杆（２）を交換可能であることが好ましい。
【発明の効果】
【００１３】
本発明のウィルキー（１）では、ハンドル（７）の回転操作に支障をきたす位置に柱、パイプ、鋼材等の障害部材（８）が存在する場合であっても、弁のハンドル（７）の回転操作に用いる一対の固定脚（３，４）を備えた操作杆（２）と、この操作杆（２）に連結された把持杆（５）との角度を調節することにより、容易かつ確実に弁のハンドル（７）の回転操作を行うことが可能となる。
【００１４】
また、弁のハンドル（７）の形状に適合する一対の固定脚（３，４）を備えた複数種類の操作杆（２）を用意しておき、回転操作すべき弁のハンドル（７）の形状に適合させて操作杆（２）を交換することにより、さらに一層容易かつ確実に弁のハンドル（７）の回転操作を行うことが可能となる。
【発明を実施するための最良の形態】
【００１５】
本発明のウィルキーは、弁のハンドルの回転操作に用いる一対の固定脚を備えた操作杆と、この操作杆に連結された把持杆との角度を変更可能として、操作すべき弁のハンドルの位置に合わせて操作杆と把持杆との角度を調節することができるようにしたものである。
【実施例１】
【００１６】
以下、本発明の好ましい実施の形態を図面を参照して説明する。
図１は本発明の実施例１に係るウィルキーの分解斜視図である。図２は本発明の実施例１に係るウィルキーの操作状態を示す平面図である。
【００１７】
実施例１のウィルキー１は、図１に示すように、弁のハンドルを回転操作する棒状の操作杆２と、この操作杆２に、操作杆２の軸線と直交し合うように設けた一対の固定脚３，４と、操作杆２の基端部に連結された棒状の把持杆５とを備えている。
【００１８】
把持杆５は、操作杆２の基端部に、該操作杆２の軸線に対する角度を変更可能に連結されている。また、操作杆２と把持杆５とは、固定機構部６により所定の角度で固定することができる。
【００１９】
一対の固定脚３，４は、その一方をハンドル７の孔７ａ内に挿入し、他方をハンドル７の外周部に押し当てて、把持杆５を操作することによりハンドル７を回転させる部材であり、操作するハンドル７の大きさ（直径）等に合わせて、太さおよび間隔が調整されている（図２参照）。
【００２０】
実施例１の固定機構部６は、把持杆５の先端部に設けた六角柱状の係合突部６ａと、この係合突部６ａの外周形状に合致させて操作杆２の基端部に設けた断面六角形状の係合孔６ｂとからなる。そして、操作杆２と把持杆５とが所望の角度となるようにして、係合孔６ｂ内に係合突部６ａを挿入することにより、操作杆２と把持杆５とを所望の角度で固定することができる。
【００２１】
図１に示す例では、係合突部６ａが六角柱状であり、係合孔６ｂが断面六角形であるため、約６０度毎に操作杆２と把持杆５との角度を調節することができる。なお、係合突部６ａと係合孔６ｂの形状を変更することにより、操作杆２と把持杆５との角度調節の度合いを変更することができる。例えば、係合突部６ａを八角柱状とし、係合孔６ｂを断面八角形とすることにより、約４５度毎に操作杆２と把持杆５との角度を調節することができる。
【００２２】
また、係合突部６ａと係合孔６ｂとの係合状態を強固なものとするために、係合突部６ａと係合孔６ｂとの間に係止機構（図示せず）を設けてもよい。係止機構は、例えば、係合孔６ｂの内周面に設けた係止凹部と、係合突部６ａの外周面に設けられ、バネ等の付勢手段により係止凹部内に突出する方向に付勢力を与えられた係止部とにより構成することができる。
【００２３】
実施例１のウィルキー１を用いて弁の開閉操作を行うには、図２に示すように、操作杆２に設けられた一方の固定脚３をハンドル７の孔内に挿入し、他方の固定脚４をハンドル７の外周に押し当て、把持杆５を左回り（反時計回り）あるいは右回り（時計回り）に回せばよい。一般的な弁では、把持杆５を左回り（反時計回り）に回すことにより弁を開くことができ、把持杆５を右回り（時計回り）に回すことにより弁を閉じることができる。
【００２４】
この際、図２に示すように、把持杆５の回動方向に、柱、パイプ、鋼材等の障害部材８が存在する場合には、係合孔６ｂ内から係合突部６ａを引き抜いて操作杆２と把持杆５とを分離した後に、把持杆５が柱、パイプ、鋼材等の障害部材８と干渉しないように、把持杆５の位置を調節して、再び係合孔６ｂ内に係合突部６ａを挿入して、弁の開閉動作を続行すればよい。
【００２５】
また、弁のハンドル７の形状に適合する一対の固定脚３，４を備えた複数種類の操作杆２を用意し、回転操作すべき弁のハンドル７の形状に適合させて操作杆２を交換可能とすることが可能である。
【００２６】
このように、実施例１のウィルキー１によれば、ハンドル７の回転操作に支障をきたす位置に柱、パイプ、鋼材等の障害部材８が存在する場合であっても、操作杆２と把持杆５との角度を調節することにより、容易かつ確実にハンドル７の回転操作を行うことができる。
【実施例２】
【００２７】
次に、本発明の実施例２に係るウィルキーについて説明する。図３は、本発明の実施例２に係るウィルキーの分解斜視図である。
実施例２のウィルキー１１は、図３に示すように、その基本構成は上述した実施例１のウィルキー１と同様であるが、固定機構部１６の構成が実施例１のものと異なっている。
【００２８】
すなわち、実施例２のウィルキー１１は、弁のハンドルを回転操作する棒状の操作杆１２と、この操作杆１２に、操作杆１２の軸線と直交し合うように設けた一対の固定脚１３，１４と、操作杆１２の基端部に連結された棒状の把持杆１５とを備えており、操作杆１２と把持杆１５とは、固定機構部１６により所定の角度で固定することができる。
【００２９】
実施例２の固定機構部１６は、いわゆるラジアルスプラインと称される機構であり、把持杆１５の先端部および操作杆１２の基端部にそれぞれ設けられた係合部１６ａ，１６ｂを備えている。把持杆１５に設けられた係合部１６ａは、略中心部に貫通孔１６ｃを設けるとともに、その下面に、貫通孔１６ｃから外周部に向かって複数の放射状の溝１６ｄを設けてある。一方、操作杆１２に設けられた係合部１６ａは、略中心部に貫通孔１６ｅを設けるとともに、その上面に、貫通孔１６ｅから外周部に向かって複数の放射状の溝１６ｆを設けてある。すなわち、把持杆１５の係合部１６ａに設けられた放射状の溝１６ｄと、操作杆１２の係合部１６ｂに設けられた放射状の溝１６ｆとは、互いに対向して噛み合うようになっている。
【００３０】
そして、操作杆１２と把持杆１５とが所望の角度となるようにして、各係合部１６ａ，１６ｂに設けられた放射状の溝１６ｄ，１６ｆを噛み合わせ、各係合部１６ａ，１６ｂの貫通孔１６ｃ，１６ｅ内にボルト１６ｇを一連に挿通してボルト１６ｇの先端部にナット１６ｈを取り付けて締め付けることにより、操作杆１２と把持杆１５とを所望の角度で固定することができる。
なお、各係合部１６ａ，１６ｂに設ける放射状の溝１６ｄ，１６ｆの数は、操作杆１２に作用するトルク等に合わせて適宜変更することができる。
【００３１】
このように、実施例２のウィルキー１１によれば、操作杆１２と把持杆１５との角度をさらにきめ細かく調節することができるので、ハンドルの回転操作に支障をきたす位置に柱、パイプ、鋼材等の障害部材が存在する場合であっても、容易かつ確実ハンドルの回転操作を行うことができる。
【００３２】
なお、上述した例では、１種類の操作杆を用いたウィルキーについて説明したが、弁のハンドルの形状に適合する一対の固定脚を備えた複数種類の操作杆を用意し、回転操作すべき弁のハンドルの形状に適合させて操作杆を交換可能とするといった種々の形態にすることができ、本発明の要旨を逸脱しない範囲で種々変更できることは勿論である。
【産業上の利用可能性】
【００３３】
本発明のウィルキー１（１１）は、主に、ハンドル７の回転操作に支障をきたす位置に柱、パイプ、鋼材等の障害部材８が存在する場合に、操作杆２（１２）と把持杆５（１５）との角度を調節することにより、容易かつ確実に弁のハンドル７の回転操作を行う際に利用することができる。
【図面の簡単な説明】
【００３４】
【図１】本発明の実施例１に係るウィルキーの分解斜視図である。
【図２】本発明の実施例１に係るウィルキーの操作状態を示す平面図である。
【図３】本発明の実施例２に係るウィルキーの分解斜視図である。
【図４】従来のウィルキーの正面図である。
【符号の説明】
【００３５】
１  ウィルキー
２  操作杆
３，４  固定脚
５  把持杆
６  固定機構部
６ａ  係合突部
６ｂ  係合孔
７  ハンドル
７ａ  孔
８  障害部材
１１  ウィルキー
１２  操作杆
１３，１４  固定脚
１５  把持杆
１６  固定機構部
１６ａ，１６ｂ  係合部
１６ｃ，１６ｅ  貫通孔
１６ｄ，１６ｆ  溝
１６ｇ  ボルト
１６ｈ  ナット
５１  ウィルキー
５２  操作杆
５３，５４  固定脚
５５  ハンドル
５６  孔
【図１】
2008044061.tif 000003
【図２】
2008044061.tif 000004
【図３】
2008044061.tif 000005
【図４】
2008044061.tif 000006